(57)【要約】【課題】  使用しないときには収納し周囲から突出しないようにするとともに、必要に応じて周囲から突出させて荷物を保持することができるようにした荷物保持装置を提供する。【解決手段】  車室内の天井９２付近に車幅方向に伸びるように配置されるバー２と、天井９２とバー２とを連結する伸縮可能に形成された連結部材３と、連結部材３が縮んだ状態ではバー２を周囲から突出しない位置に固定するとともに連結部材３が伸びた状態ではバー２を周囲から突出した位置に固定する固定部材とを設けるようにした。【選択図】図１
2008239134.tif 000002
【特許請求の範囲】
【請求項１】
車室内の天井付近に配置されるものであって、車幅方向に伸びるように配置されるバーと、前記天井と前記バーとを連結するとともに伸縮可能に形成された連結部材と、前記連結部材に設けられ当該連結部材が縮んだ状態では前記バーを周囲から突出しない位置に固定するとともに当該連結部材が伸びた状態では前記バーを周囲から突出した位置に固定する固定部材とを備えたことを特徴とする車両の荷物保持装置。
【請求項２】
請求項１記載の車両の荷物保持装置において、前記バーは薄板状の部材からなるものであって断面略Ｕ字状に形成されていることを特徴とする車両の荷物保持装置。
【請求項３】
請求項１記載ないし請求項２記載の車両の荷物保持装置において、前記バーは少なくとも１個以上の凹部が形成されていることを特徴とする車両の荷物保持装置。
【発明の詳細な説明】
【技術分野】
【０００１】
本発明は、車室内に設けられる荷物保持装置に関するものであり、特に、釣り竿などの長尺のものを確実に保持できるとともに、使用しないときには収納することができるようにした、荷物保持装置に関するものである。
【背景技術】
【０００２】
車室内の容積が大きい車両、いわゆるワゴン型、ワンボックス型と呼ばれるものにおいては、車室内の前後方向の寸法が比較的長いこともあり、釣り竿などの長尺のものであっても車室内に積載し運搬することも多い。このような長尺のものは床面に置くことも多いが、例えば特開平１０−２０３２４９号公報等に記載されるもののように、車両の天井付近に前後方向にわたって収納スペースを形成し、ここに収納するものがある。また、特許第３７２０２１８号公報等に記載されるもののように、いわゆるユーティリティーバーと呼ばれるもので車幅方向に固定されたバーを設けて荷物を保持するものがある。
【特許文献１】特開平１０−２０３２４９号公報
【特許文献２】特許第３７２０２１８号公報
【発明の開示】
【発明が解決しようとする課題】
【０００３】
ところで、前記従来のものにおいては、車室内に固定されたままのものであり、荷物を保持していない状態でも車室内の居住スペースの一部を占有することになっていた。したがって、乗員の快適性が悪化するおそれがあった。このような問題点を解決するために、使用しないときには収納し周囲から突出しないようにするとともに、必要に応じて周囲から突出させて荷物を保持することができるようにした荷物保持装置を提供しようとするのが、本発明の目的（課題）である。
【課題を解決するための手段】
【０００４】
前記課題を解決するために、本発明においては次のような手段を講ずることとした。すなわち、請求項１記載の発明においては、車室内の天井付近に配置されるものであって、車幅方向に伸びるように配置されるバーと、前記天井と前記バーとを連結するとともに伸縮可能に形成された連結部材と、前記連結部材に設けられ当該連結部材が縮んだ状態では前記バーを周囲から突出しない位置に固定するとともに当該連結部材が伸びた状態では前記バーを周囲から突出した位置に固定する固定部材と、を備えた構成を採ることとした。
【０００５】
次に、請求項２記載の発明について説明する。このものも、その基本的な点は前記請求項１記載のものと同じである。すなわち、請求項１記載の車両の荷物保持装置に関して、前記バーは薄板状の部材からなるものであって断面略Ｕ字状に形成した構成を採ることとした。
【０００６】
次に、請求項３記載の発明について説明する。このものも、その基本的な点は前記請求項１ないし請求項２記載ものと同じである。すなわち、請求項１ないし請求項２記載の車両の荷物保持装置に関して、前記バーは少なくとも１個以上の凹部を形成した構成を採ることとした。
【発明の効果】
【０００７】
第一の発明によれば、連結部材を縮めることで荷物保持装置のバーを周囲から突出しない位置に収納することができるので、見栄えもよくすることができる。さらに、車室内のスペースを占有することなく居住空間を確保でき、視界をさえぎることもなくなる。また、連結部材を縮めた状態で固定部材により固定できるので、走行中の振動などにより連結部材が伸びてバーが飛び出すことがなく安全性も向上する。さらに、連結部材を伸ばしてバーが突出した使用状態においても、連結部材を固定部材により固定するので、走行中であってもバーが上下に振動することもなく、騒音も発生することがなく車内の快適性が向上する。
【０００８】
また、第二の発明によれば、軽量で剛性の高いバーを得ることができる。したがって、バーの高さ方向を最小化することができるので、材料の使用量が減り、資源の節約にもなり製造から廃棄までを通して環境への影響も最小限に抑えることができる。また、必要なスペースを最小化できるので、レイアウトの自由度も向上させることができる。
【０００９】
また、第三の発明によれば、その特徴とするところは、バーに凹部を形成したことにより荷物をより安定して保持することができるようになる。
【発明を実施するための最良の形態】
【００１０】
本発明を実施するための最良の形態について、図１ないし図６を基に説明する。本実施の形態に関するものの、その構成は、図１に示すように、車両９の天井９２のところに車幅方向にわたって設けられたバー２と、当該バー２と天井９２とを連結する連結部材３とからなることを基本とするものである。そして、これら構成からなる荷物保持装置１は、バー２を車両９の下方向に向かって突出させることで、衣類Ｃ、傘Ａなどの荷物を保持することができるものである。
【００１１】
このような構成からなるものにおいて、前記荷物保持装置１は図２に示すように、天井９２とバー２とが連結部材３により連結されている。連結部材３は、天井９２に取付けられた上部プレート３１と、この上部プレート３１に重なり互いにスライドするようにした下部プレート３２とからなるものであり、下部プレート３２はバー２に取付けられている。上部プレート３１には車両上下方向に溝３５が設けられており、この溝３５内を下部プレート３２に固定されているピン３３がスライドすることにより伸縮するようになっている。図２（ａ）は連結部材３が最も縮んだ状態であり、ロックプレート３４の凸部３４ａが上部プレート３１の凹部３１ａにはまりこむことで縮んだ状態に固定するようになっている。ロックプレート３４は上部プレート３１を押さえつける方向にばね力を持っており、ガタツキ等を防止している。また、バー２には常時矢印Ｘ方向に向けてばね等で付勢された係合レバー４が設けられており、溝３５の下部のところを係合することによって、確実に縮んだ状態を維持し、走行中の振動や衝撃などで、連結部材３が不意に伸びないようにしている。これらの凸部３４ａ、凹部３１ａ、及び係合レバー４により、連結部材３が縮んだ状態での固定部材としての機能を果たすようになっている。
【００１２】
図２（ｂ）は、連結部材３が最も伸びた状態であり、下部プレート３２とピン３３が溝３５に沿って下方向にスライドしている。この状態で、ロックプレート３４の凸部３４ｂが上部プレート３１の凹部３１ｂにはまりこんで固定され、連結部材３が最も伸びた状態で固定されることになる。このような状態においても、ロックプレート３４のばね力によりガタツキ等が発生しないようにしている。このようにして、バー２を収納したときの位置を示す線Ｌ１とバー２との間に形成された間隔Ｄに荷物を保持させることができる。そして、これらの凸部３４ｂ、凹部３１ｂにより、連結部材３が伸びた状態での固定部材としての機能を果たすようになっている。このような、連結部材３は車幅方向に所定の間隔をあけて少なくとも２個設けられるようになっている。
【００１３】
次に、バー２について図３をもとに説明する。バー２は薄板状の部材から形成され、底面２１とその両側の縦壁２２とにより、断面略Ｕ字状に形成されている。このような形状により最小限の厚さであっても十分な剛性を確保できるので、使用する材料を少なくでき、軽量化も可能となる。これによって、製造から廃棄までのライフサイクルにおいても環境への負荷を軽減し、軽量化による燃費向上も期待できる。また、縦壁２２には、凹部２３が形成されており、特に長尺の荷物Ｒ（例えば釣り竿等）を保持しやすいようになっている。さらにフック２４を設けることで、荷物Ｒを保持させたあとゴムバンド等を引っ掛けて固定することができるようになっている。また、この縦壁２２のところにはハンガーや傘の取っ手などを引っ掛けることもでき、用途を拡大することができる。
【００１４】
このように構成された荷物保持部材１は、図４に示すように車両９の天井９２のところに、車両前後方向に間隔を設けて２組設けるとよい。これによって、長尺のものを２箇所で安定して保持することができる。また、荷物保持部材１を収納した状態でヘッドライニング９３と同じ位置となるようにすると、見栄えもよくデザイン性にも優れた荷物保持装置１とすることができる。破線で示しているのは、荷物保持装置１を使用するために連結部材３を伸ばして、バー２を周囲から突出させた状態である。
【００１５】
このような荷物保持部材１の連結部材３を伸ばして、使用状態とするためにバー２を突出させる手順について図２（ａ）、図２（ｂ）をもとに説明する。まず、図２（ａ）において、連結部材３は縮んだ状態となっている。このような状態で、係合レバー４を矢印Ｙ方向に動かして回転軸Ｐ１を中心に回転させ、溝３５の下端との係合を外す。さらにバー２を車両下方向に引っ張ると、ロックプレート３４の凸部３４ａのところが弾性変形をし、上部プレート３１の凹部３１ａから外れる。そしてさらにバー２を下方向に引っ張ると、図２（ｂ）に示すように、ピン３３が溝３５の下端側に移動していき、ロックプレート３４の凸部３４ｂが上部プレート３１の凹部３１ｂにはまりこみ、連結部材３が伸びた状態で固定されることとなる。
【００１６】
またその反対に、荷物保持部材１の連結部材３を縮めて、バー２が周囲から突出した使用状態から収納状態とするための手順について説明する。まず、図２（ｂ）に示すように、ロックプレート３４の凸部３４ｂが上部プレート３１の凹部３１ｂにはまりこみ、連結部材３が伸びた状態で固定されているときにバー２を車両上方向に押し上げる。ロックプレート３４の凸部３４ｂのところが弾性変形して、凹部３１ｂから外れる。さらに、バー２を押し上げると、係合レバー４が上部プレート３１の下端面とぶつかる。その後、回転軸Ｐ１を中心に係合レバー４は矢印Ｘ方向と逆に回転し、最終的に溝３５の下端に係合する。同時に凸部３４ａが上部プレート３１の凹部３１ａにはまりこみ、図２（ａ）に示すように、連結部材３が縮んだ状態で固定されることとなる。
【００１７】
また、図５をもとに他の連結部材３’の例について説明する。この連結部材３’は上部プレート３７’と下部プレート３８’とを回転軸Ｐ２１において回転可能にヒンジ状に形成したものである。天井９２のブラケット３９ａ’と上部プレート３７’とは、回転軸Ｐ２２により回転可能に支持されている。また、同様にバー２のブラケット３９ｂ’と下部プレート３８’とを回転軸Ｐ２３において回転可能に支持している。そして、回転軸Ｐ２１のところには、上部プレート３７’及び下部プレート３８’が広がるように矢印Ｚ方向に付勢力を与えるようにばねなどの手段が設けられている（図示せず）。このような付勢力を与える手段により、ブラケット３９ａ’、ブラケット３９ｂ’との間のガタツキなどを防止することができる。また、上部プレート３７’と下部プレート３８’の長さＬ２の設定により、バー２を収納したときの位置を示す線Ｌ１とバー２との間隔Ｄ（バー２が周囲から突出する寸法）を自由に設定できる。図５（ａ）は、連結部材３’を縮めた状態、図５（ｂ）は、連結部材３’を伸ばした状態であり、それそれの状態で固定する固定手段も設けている。
【００１８】
さらに、図６（図１のＢ−Ｂ方向の断面に相当）に示すように、荷物保持装置１’のバー２’の両側をカバー部材２９’で覆うようにしてもよい。図６（ａ）はバー２’を突出させた状態であり、図６（ｂ）はバー２’を収納した状態を示している。このような構成により、図４に示すように、ヘッドライニング９３内に、荷物保持装置１を完全に埋め込むことことができない場合であっても、見栄えを損なうことなく装着することができる。
【図面の簡単な説明】
【００１９】
【図１】本発明にかかる荷物保持装置の全体構成を示す斜視図である。
【図２】本発明にかかる連結部材を示す断面図である。
【図３】本発明にかかるバーを示す斜視図である。
【図４】本発明にかかる連結部材の車両への装着状態を示す図である。
【図５】本発明にかかる連結部材の他の実施例を示す断面図である。
【図６】従来例にかかる荷物保持装置の他の実施例を示す断面図である。
【符号の説明】
【００２０】
１  荷物保持装置
１’  荷物保持装置
２  バー
２’  バー
２１  底面
２２  縦壁
２３  凹部
２４  フック
２９’  カバー部材
３  連結部材
３’  連結部材
３１  上部プレート
３１ａ  凹部
３１ｂ  凹部
３２  下部プレート
３３  ピン
３４  ロックプレート
３４ａ  凸部
３４ｂ  凸部
３７’  上部プレート
３８’  下部プレート
３９ａ’  ブラケット
３９ｂ’  ブラケット
３５  溝
４  係合レバー
９  車両
９２  天井
９３  ヘッドライニング
Ａ  傘
Ｂ  衣類
【図１】
2008239134.tif 000003
【図２】
2008239134.tif 000004
【図３】
2008239134.tif 000005
【図４】
2008239134.tif 000006
【図５】
2008239134.tif 000007
【図６】
2008239134.tif 000008